(57)【要約】【課題】  ユーザが画面表示を目視で確認するだけで容易に検体又は装置の異常の有無及び種類並びに検体間、装置間のばらつきを判別することができる分析装置及び検体情報処理プログラムを提供する。【解決手段】  検体に対して所定の分析を行う分析手段と、前記分析手段による分析結果を記憶する記憶手段と、前記記憶手段により記憶された分析結果を、任意の選択条件により選択する選択手段と、前記選択手段により選択された複数の分析結果に基づいて、選択された複数の検体に関するスキャッタグラム又はグラフを並べて表示する表示手段とを備えた分析装置とする。かかる構成とすることにより、任意の選択条件により選択された検体に関するスキャッタグラム又はグラフが並べて表示されるため、異常の発生、異常の種類、又は検体間、装置間のばらつきの判別に使用できる検体のみを選択すれば、ユーザがこれらのスキャッタグラム又はグラフを目視で確認することができる。【選択図】      図１
2007078508.tif 000002
【特許請求の範囲】
【請求項１】
検体の分析を行う分析装置であって、
検体に対して所定の分析を行う分析手段と、
前記分析手段による分析結果を記憶する記憶手段と、
前記記憶手段により記憶された分析結果を、任意の選択条件により選択する選択手段と、
前記選択手段により選択された複数の分析結果に基づいて、選択された複数の検体に関するスキャッタグラム又はグラフを並べて表示する表示手段と
を備える分析装置。
【請求項２】
前記分析手段は、
検体に対して所定の測定を行い、測定データを得る測定部と、
当該測定部によって得られた測定データに基づいて検体に関するスキャッタグラム又はグラフを作成する作成手段と
を備え、
前記記憶手段は、前記作成手段により作成されたスキャッタグラム又はグラフを記憶するように構成されており、
前記表示手段は、前記記憶手段によって記憶されたスキャッタグラム又はグラフを並べて表示するように構成されている請求項１記載の分析装置。
【請求項３】
前記表示手段は、前記分析手段の分析結果に基づいて検体に関するスキャッタグラム又はグラフを作成する作成手段を備え、当該作成手段によって作成されたスキャッタグラム又はグラフを並べて表示するように構成されている請求項１記載の分析装置。
【請求項４】
前記検体は粒子を含んでおり、前記スキャッタグラム又はグラフは、粒子分析により得られたスキャッタグラム又は粒度分布である請求項１乃至３のいずれかに記載の分析装置。
【請求項５】
前記表示手段により表示された個々のスキャッタグラム又はグラフの選択を受け付ける選択受付手段と、
分析結果に対する情報処理操作の指定を受け付ける指定受付手段と、
前記指定受付手段により指定を受け付けた情報処理操作を、前記選択受付手段により選択を受け付けたスキャッタグラム又はグラフに対応する分析結果に対して実行する情報処理操作実行手段と
を更に備える請求項１乃至４のいずれかに記載の分析装置。
【請求項６】
前記表示手段は、前記選択受付手段によりスキャッタグラム又はグラフの選択を受け付けたときに、当該スキャッタグラム又はグラフに対応する分析結果の数値データを、前記複数の検体に関するスキャッタグラム又はグラフを並べて表示するとともに、前記数値データを表示するように構成されている請求項５に記載の分析装置。
【請求項７】
前記選択手段は、同一人から採取された検体に関する分析結果であることを選択条件として設定することが可能である請求項１乃至６のいずれかに記載の分析装置。
【請求項８】
前記表示手段は、前記スキャッタグラム又はグラフを所定の順序で並べて表示するように構成されている請求項１乃至７のいずれかに記載の分析装置。
【請求項９】
記憶装置と表示装置とを備えるコンピュータに、検体の分析を行わせるための検体情報処理プログラムであって、
前記コンピュータを、
検体に対して所定の測定を行うことによって得られた測定データに基づいて検体を分析する分析手段と、
前記分析手段による分析結果を前記記憶装置に記憶する記憶手段と、
前記記憶装置に記憶された分析結果を、任意の選択条件により選択する選択手段と、
前記選択手段により選択された複数の分析結果に基づいて、選択された複数の検体に関するスキャッタグラム又はグラフを前記表示装置に並べて表示する表示手段として機能させるための検体情報処理プログラム。
【発明の詳細な説明】
【技術分野】
【０００１】
本発明は、血液等の検体の粒子測定データに基づいて検体の分析を行う分析装置及びそのための検体情報処理プログラムに関する。
【背景技術】
【０００２】
臨床検査分野において、血液や尿を試料として、含有されている細胞やたんぱく質等の成分を分析する検査が種々の分析装置を用いて行われている。血液分析装置には、生体試料である血液に含まれている赤血球、白血球、血小板の数を計数し、さらには白血球を、リンパ球、単球、好中球、好酸球、好塩基球の５種類に分類するものがある。例えば、SF-3000（シスメックス株式会社製）では血液試料を複数のアリコートに分割した後、一つのアリコートに第１の白血球分類用試薬を添加して白血球分類用の第１試料を調製する。その後、この第１試料の液流を形成し、フロー式光学検出器を用いて、前記液流に対して光を照射したときに生じる低角散乱光の強度と高角散乱光の強度とを検出する。そして、これらの低角散乱光強度及び高角散乱高強度を用いてスキャッタグラムを作成し、白血球をリンパ球、単球、顆粒球、好酸球に分類する。他方、このSF-3000では、血液試料の他のアリコートに第２の白血球分類用試薬を添加して第２の試料を調製し、この第２の試料における光学的測定結果に基づいて、同様にスキャッタグラムを作成し、好塩基球と他の白血球とを分類する。これにより、このSF-3000では白血球を５種類に分類することが可能である（特許文献１参照）。
【０００３】
また、上記のような生体試料においては、例えば様々な疾患、病態によって正常な白血球、赤血球の他、幼若細胞などの異常細胞が出現することがある。そこで、かかる従来の分析装置では、生体試料を種々の手法により分析することにより異常細胞の有無を検出し、異常細胞が検出された場合には、例えば、異常細胞の検出メッセージを出力する（フラッギング）といったことが行われている。
また、生体試料間で個体差があるため、検体が異なればスキャッタグラム等における各正常細胞、異常細胞の出現位置に差が生じる。更に、装置のメンテナンス状態や装置製造時の環境の差異によっては、同一検体の分析結果であっても装置間でばらつきが生じることがある。そこで、このような検体の個体差、装置のばらつきを吸収する判定領域の構成方法が開示されている（特許文献２参照）。
【０００４】
一方、上記のような分析装置の一つとして、血液凝固分析装置が知られている。この血液凝固分析装置は、生体試料である血漿に凝固用の試薬を添加して、血漿が凝固していく過程を光学的検出装置で調べ、生体試料の凝固能を測定する。かかる血液凝固分析装置では、試料の光学情報（例えば、散乱光強度）の経時的変化を測定し、その光学情報が所定の値に至るまでの時間を凝固時間として求めるようになっている。しかしながら、血漿の凝固は多段階にわたる反応であり、反応過程において何らかの異常がある場合には、その反応曲線が正常な検体を正常に測定した場合とは異なった曲線になり、誤った凝固時間を出力してしまうおそれがある。そこで反応曲線を監視して、かかる異常の発生を検出する種々の技術が開発されている（例えば、特許文献３参照）。
【０００５】
【特許文献１】特開平８−４３３８１号公報
【特許文献２】特開平９−２１７３９号公報
【特許文献３】特開２００３−１６９７００号公報
【発明の開示】
【発明が解決しようとする課題】
【０００６】
かかる分析装置においては、検体及び装置に生じる異常は非常に多様であり、分析結果における異常の出現の仕方もまた非常に多様である。また、異常ではなくとも上述したような検体、装置のばらつきにより結果に差異が生じる場合もある。このため、上述の従来の分析装置のように、個々の分析結果を様々な監視手段で監視しても、検体及び装置に生じる全ての異常や検体間、装置間のばらつきを監視することは困難である。また、スキャッタグラムや凝固曲線等は、数値として得られる分析結果に比べて非常に多くの情報を含んでおり、そのためスキャッタグラムや凝固曲線等のグラフをユーザが目視で確認して異常の有無、異常の種類、及び検体間、装置間のばらつきを判別することが行われているが、一つのスキャッタグラム（又はグラフ）を確認しても、正常な測定結果との相対的な差を把握できないため、異常の有無や種類、検体間、装置間のばらつきを正確に判別することは難しい。また、複数のスキャッタグラム（又はグラフ）を一覧表示することも考えられるが、種々の疾患の検体を含む多数の検体のスキャッタグラムのように、様々な分布状態のスキャッタグラムが同時に表示された場合には、何れのデータが正常であるのかを判断することが困難であり、容易に異常の有無及び種類並びに検体間、装置間のばらつきを判別することはできない。
本発明は、かかる事情に鑑みてなされたものであり、ユーザが画面表示を目視で確認するだけで容易に検体又は装置の異常の有無及び種類並びに検体間、装置間のばらつきを判別することができる分析装置及び検体情報処理プログラムを提供することを目的とする。
【課題を解決するための手段】
【０００７】
本発明に係る分析装置は、検体の分析を行う分析装置であって、検体に対して所定の分析を行う分析手段と、前記分析手段による分析結果を記憶する記憶手段と、前記記憶手段により記憶された分析結果を、任意の選択条件により選択する選択手段と、前記選択手段により選択された複数の分析結果に基づいて、選択された複数の検体に関するスキャッタグラム又はグラフを並べて表示する表示手段とを備えることを特徴とする。
かかる構成とすることにより、任意の選択条件により選択された検体に関するスキャッタグラム又はグラフが並べて表示されるため、異常の発生、異常の種類、又は検体間、装置間のばらつきの判別に使用できる検体のみを選択すれば、ユーザがこれらのスキャッタグラム又はグラフを目視で確認することにより、異常の発生、異常の種類、又は検体間、装置間のばらつきを容易に判別することが可能となる。
【０００８】
上記発明においては、前記分析手段は、検体に対して所定の測定を行い、測定データを得る測定部と、当該測定部によって得られた測定データに基づいて検体に関するスキャッタグラム又はグラフを作成する作成手段とを備え、前記記憶手段は、前記作成手段により作成されたスキャッタグラム又はグラフを記憶するように構成されており、前記表示手段は、前記記憶手段によって記憶されたスキャッタグラム又はグラフを並べて表示するように構成されていてもよい。
かかる構成とすることにより、表示手段は、記憶手段に記憶されたスキャッタグラム又はグラフを表示するだけであるので、表示の処理を高速に行うことができる。
【０００９】
上記発明においては、前記表示手段は、前記分析手段の分析結果に基づいて検体に関するスキャッタグラム又はグラフを作成する作成手段を備え、当該作成手段によって作成されたスキャッタグラム又はグラフを並べて表示するように構成されていてもよい。
かかる構成とすることにより、表示の際にスキャッタグラム又はグラフを作成するので、単にスキャッタグラム又はグラフとして表示するだけでなく、スキャッタグラム又はグラフを編集したり、表示形態を切り替えたりすることも可能である。また、スキャッタグラム又はグラフを画像データとして記憶していなくても、スキャッタグラム又はグラフの作成が可能なデータ形式で記憶しておけばよいため、データサイズの点で有利な場合がある。また、このようなデータをスキャッタグラム又はグラフの作成だけでなく、他の分析結果に利用することも可能である。  
【００１０】
上記発明においては、前記検体は粒子を含んでおり、前記スキャッタグラム又はグラフを、粒子分析により得られたスキャッタグラム又は粒度分布とすることが可能である。
【００１１】
上記発明においては、前記表示手段により表示された個々のスキャッタグラム又はグラフの選択を受け付ける選択受付手段と、分析結果に対する情報処理操作の指定を受け付ける指定受付手段と、前記指定受付手段により指定を受け付けた情報処理操作を、前記選択受付手段により選択を受け付けたスキャッタグラム又はグラフに対応する分析結果に対して実行する情報処理操作実行手段とを更に備える構成とすることが好ましい。
従来の分析装置では、複数のスキャッタグラム又はグラフを並べて表示し、これらの中から任意のスキャッタグラム又はグラフを選択することが可能な機能が存在しなかったため、例えば、修正、削除、バリデートのような情報処理操作を特定の分析結果に対して実行するためには、複数の分析結果の数値データを一覧表示している状態や１つの分析結果の数値データを詳細に表示している状態に表示を切り替えた上で、かかる情報処理操作の実行をしなければならなかった。したがって、かかる構成とすることにより、スキャッタグラム又はグラフを並べて表示している状態で、選択したスキャッタグラム又はグラフに対応する分析結果に対して直接情報処理操作を実行することができるため、情報処理の操作を行うために、例えば複数の分析結果の数値データを一覧表示している状態等に表示を切り替える必要がなく、ユーザの操作性が向上する。また、スキャッタグラム又はグラフは数値データよりも情報量が豊富であるため、ユーザが情報処理操作の実行対象の分析結果を決定するのに複数のスキャッタグラム又はグラフを目視で確認することが有効である場合が多く、この点においてもユーザの操作性向上に貢献する。
【００１２】
上記発明においては、前記表示手段は、前記選択受付手段によりスキャッタグラム又はグラフの選択を受け付けたときに、当該スキャッタグラム又はグラフに対応する分析結果の数値データを、前記複数の検体に関するスキャッタグラム又はグラフを並べて表示するとともに、前記数値データを表示するように構成されていることが好ましい。
かかる構成とすることにより、特定の検体に関する数値データを確認するために、スキャッタグラム又はグラフを並べて表示している状態から、数値データを表示している状態に切り替える必要がなく、ユーザの操作性が更に向上する。また、複数のスキャッタグラム又はグラフと選択した検体の数値データとの両方を同時に確認することができ、更に便利である。
【００１３】
上記発明においては、前記選択手段は、同一人から採取された検体に関する分析結果であることを選択条件として設定することが可能であることが好ましい。
かかる構成とすることにより、同一人の複数検体のスキャッタグラム又はグラフを並べて表示することができるため、例えばその人が特定の病気である場合には、その人の病態の変化を容易に確認することができる。また、通常、同一人の検体のスキャッタグラム又はグラフは略同一の形態を示すが、これらのスキャッタグラム又はグラフが特定の傾向で相違している場合等には、装置間のばらつきや装置の状態の経時的変化が生じていることがある。このため、このような装置間のばらつきや装置の状態の経時的変化をユーザ又はサポートの技術者等が確認することも可能である。
【００１４】
上記発明においては、前記表示手段は、前記スキャッタグラム又はグラフを所定の順序で並べて表示するように構成されていることが好ましい。
かかる構成とすることにより、時系列や患者別等でスキャッタグラム又はグラフをソートして表示することができる。このため、例えば、ユーザが経時的な病態の変化や経時的な装置状態の変化等を確認したり、患者間でのデータのばらつきを確認することができるなど、種々の分析結果の検討を行うことができ、便利である。
【００１５】
本発明に係る検体情報処理プログラムは、記憶装置と表示装置とを備えるコンピュータに、検体の分析を行わせるための検体情報処理プログラムであって、前記コンピュータを、検体に対して所定の測定を行うことによって得られた測定データに基づいて検体を分析する分析手段と、前記分析手段による分析結果を前記記憶装置に記憶する記憶手段と、前記記憶装置に記憶された分析結果を、任意の選択条件により選択する選択手段と、前記選択手段により選択された複数の分析結果に基づいて、選択された複数の検体に関するスキャッタグラム又はグラフを前記表示装置に並べて表示する表示手段として機能させることを特徴とする。
かかる構成とすることにより、任意の選択条件により選択された検体に関するスキャッタグラム又はグラフが並べて表示されるため、異常の発生、異常の種類、又は検体間、装置間のばらつきの判別に使用できる検体のみを選択すれば、ユーザがこれらのスキャッタグラム又はグラフを目視で確認することにより、異常の発生、異常の種類、又は検体間、装置間のばらつきを容易に判別することが可能となる。
【発明の効果】
【００１６】
本発明の分析装置及び検体情報処理プログラムによれば、ユーザが画面表示を目視で確認するだけで容易に検体又は装置の異常の有無及び種類並びに検体間、装置間のばらつきを判別することができる。
【発明を実施するための最良の形態】
【００１７】
以下、本発明の実施形態による分析装置（検体情報処理プログラムを含む。）について、図面を参照して説明する。
（実施形態１）
図７は、実施形態１に係る多項目自動血球分析装置のハードウェア構成を示すブロック図である。図において、当該装置１０は、血球測定を行う機器本体部としての測定装置１と、測定結果に対して分析処理を行うコンピュータ２とを、互いにＬＡＮ接続して構成されている。
【００１８】
コンピュータ２は、本体部２ａと、ディスプレイ２ｂと、キーボードやマウス等の入力装置２ｃとを主たる構成要素として構成されている。本体部２ａは、ＣＰＵ２０１と、ＲＯＭ２０２と、ＲＡＭ２０３と、ハードディスク２０４と、読出装置２０５と、入出力インタフェース２０６と、画像出力インタフェース２０７と、ＬＡＮアダプタ２０８とを主たる構成要素として構成されており、これらは、バス２１０によってデータ通信可能に接続されている。
【００１９】
ＣＰＵ２０１は、ＲＯＭ２０２に記憶されているコンピュータプログラム及びＲＡＭ２０３にロードされたコンピュータプログラムを実行することが可能である。そして、後述するようなアプリケーションプログラムＡＰを当該ＣＰＵ２０１が実行することにより、後述するような各機能ブロックが実現され、コンピュータ２が、他項目自動血球分析装置の情報処理部として機能する。
ＲＯＭ２０２は、マスクＲＯＭ、ＰＲＯＭ、ＥＰＲＯＭ、ＥＥＰＲＯＭ等によって構成されており、ＣＰＵ２０１により実行されるコンピュータプログラムおよびこれに用いるデータ等が記録されている。
【００２０】
ＲＡＭ２０３は、ＳＲＡＭ又はＤＲＡＭ等によって構成されている。ＲＡＭ２０３は、ＲＯＭ２０２及びハードディスク２０４に記録されているコンピュータプログラムの読み出しに用いられる。また、これらのコンピュータプログラムを実行するときに、ＣＰＵ２０１の作業領域として利用される。
ハードディスク２０４には、オペレーティングシステム及びアプリケーションプログラム等、ＣＰＵ２０１に実行させるための種々のコンピュータプログラム及び当該コンピュータプログラムの実行に用いるデータがインストールされている。後述するアプリケーションプログラムＡＰも、このハードディスク２０４にインストールされている。
【００２１】
読出装置２０５は、フレキシブルディスクドライブ、ＣＤ−ＲＯＭドライブ、又はＤＶＤ−ＲＯＭドライブ等によって構成されており、可搬型記録媒体２０９に記録されたコンピュータプログラム又はデータを読み出すことができる。また、可搬型記録媒体２０９には、コンピュータを分析装置１０の情報処理装置として機能させるためのアプリケーションプログラムＡＰが格納されており、ＣＰＵ２０１が当該可搬型記録媒体２０９から本発明に係るアプリケーションプログラムＡＰを読み出し、ハードディスク２０４にインストールすることが可能である。
【００２２】
なお、上記アプリケーションプログラムＡＰは、可搬型記録媒体２０９によって提供されるのみならず、電気通信回線（有線、無線を問わない）によってコンピュータ２と通信可能に接続された外部の機器から当該電気通信回線を通じて提供することも可能である。例えば、アプリケーションプログラムＡＰがインターネット上のサーバコンピュータのハードディスク内に格納されており、このサーバコンピュータにコンピュータ２がアクセスして、当該コンピュータプログラムをダウンロードし、これをハードディスク２０４にインストールすることも可能である。
また、ハードディスク２０４には、例えばＷｉｎｄｏｗｓ（登録商標：Microsoft Corporation）等のグラフィカルユーザインタフェース環境を提供するオペレーティングシステムがインストールされている。以下の説明においては、本実施形態に係るアプリケーションプログラムＡＰは当該オペレーティングシステム上で動作するものとしている。
【００２３】
入出力インタフェース２０６は、例えばＵＳＢ、ＩＥＥＥ１３９４、ＲＳ−２３２Ｃ等のシリアルインタフェース、ＳＣＳＩ、ＩＤＥ、ＩＥＥＥ１２８４等のパラレルインタフェース、およびＤ／Ａ変換器、Ａ／Ｄ変換器等からなるアナログインタフェース等から構成されている。入出力インタフェース２０６には、キーボードやマウス等からなる入力装置２ｃが接続されており、ユーザが当該入力装置２ｃを使用することにより、本体部２ａにデータを入力することが可能である。
画像出力インタフェース２０７は、ＬＣＤまたはＣＲＴ等で構成されたディスプレイ２ｂに接続されており、ＣＰＵ２０１から与えられた画像データに応じた映像信号をディスプレイ２ｂに出力するようになっている。ディスプレイ２ｂは、入力された映像信号にしたがって、画像（画面）を表示する。ＬＡＮアダプタ２０８はイーサネット通信方式により、測定装置１と接続されている。
【００２４】
測定装置１は、半導体レーザーを用いたフローサイトメトリー法を用いて、血球の分析が可能である。このフローサイトメトリー法とは、血球粒子等を含む検体の細い流れを形成し、そこにレーザ光を照射して光学的情報を得る方法である。この光学的情報が、検体についての粒子測定データとなる。
【００２５】
図８は、フローサイトメトリー法による光学系の構成を示す図である。図において、コンデンサレンズ１２は、光源１３から放射されたレーザ光をシースフローセル１１に集光し、集光レンズ１４は粒子の前方散乱光をフォトダイオード１５に集光する。また、他の集光レンズ１６は粒子の側方散乱光と側方蛍光とをダイクロイックミラー１７に集光する。ダイクロイックミラー１７は、側方散乱光をフォトマルチプライヤ１８へ反射し、側方蛍光をフォトマルチプライヤチューブ１９の方へ透過させる。これらの光信号は、粒子の特徴を反映したものとなっている。そして、フォトダイオード１５、フォトマルチプライヤ１８及びフォトマルチプライヤチューブ１９は光信号を電気信号に変換し、それぞれ、前方散乱光信号（ＦＳＣ）、側方散乱光信号（ＳＳＣ）及び側方蛍光信号（ＳＦＬ）を出力する。これらの出力信号は、増幅やＡ／Ｄ変換、所定の信号処理等の処理を経て粒子測定データに変換され、コンピュータ２に送られる。
【００２６】
図９は、コンピュータ２を、本発明に関連する機能で表したブロック図である。すなわち、検体情報処理プログラムが搭載されたコンピュータ２は、検体の分析結果を表す画像データを取得する機能を実現する情報取得手段２１と、ディスプレイ２ｂに複数の検体についての画像データを並べて表示する機能を実現する表示手段２２と、表示された個々の画像データを入力装置２ｃにより選択してその情報処理操作を可能にする機能を実現する選択手段２３とを備えている。
図１１は、コンピュータ２に上記機能を実現させるための検体情報処理プログラムの動作を示すフローチャートである。上記情報取得手段２１の機能は主としてステップＳ１〜Ｓ３により、表示手段２２の機能は主としてステップＳ４〜Ｓ９により、選択手段２３の機能は主としてステップＳ１０〜Ｓ１２により、それぞれ実現される。
【００２７】
次に、図１１のフローチャートの各ステップについて説明する。まずステップＳ１において、コンピュータ２は、測定装置１から粒子測定データを受信する。受信した粒子測定データに対してコンピュータ２は、分析処理すなわち、スキャッタグラム・粒度分布図の作成（ステップＳ２）を行い、さらに、数値データを含む詳細情報を生成する（ステップＳ３）。そして、コンピュータ２は、分析結果をディスプレイ２ｂに表示する（ステップＳ４）。このときの画面は、予め決められたディフォルト表示画面となる。
【００２８】
ここでコンピュータ２は表示モードの指定の操作が行われるのを待ち（ステップＳ５）、指定を受け付けると、指定された表示を行う。指定はスキャッタグラム、粒度分布図、数値データ及び詳細情報の４種類のいずれか１つであり、コンピュータ２は、指定された内容をディスプレイ２ｂに表示する（ステップＳ６，Ｓ７，Ｓ８，Ｓ９）。スキャッタグラム、粒度分布図又は数値データが表示された場合には、コンピュータ２は選択の操作を待ち（ステップＳ１０）、選択を受け付けるとステップＳ１１に進む。また、詳細情報が表示された場合は、そのままステップＳ１１に進む。
【００２９】
ステップＳ１１においてコンピュータ２は、何らかの情報処理操作の指定を受け付けたかどうかを判断し、受け付けた場合はその情報処理を実行し（ステップＳ１２）、その後、終了か否かの判断を行う（ステップＳ１３）。また、情報処理操作の指定を受け付けなかった場合は、そのまま、終了か否かの判断を行う（ステップＳ１３）。ステップＳ１３において終了でなければ、コンピュータ２は、ステップＳ５に戻って上述の処理を繰り返し、ステップＳ１３において終了となれば、当該フローチャートの処理を終える。
【００３０】
次に、上記検体情報処理プログラムの動作を、操作面から具体的に説明する。本プログラムは、前述のようにＷｉｎｄｏｗｓ（登録商標：Microsoft Corporation）上で動作する。本プログラムが搭載されたコンピュータ２は、検体ごとに測定装置１から提供される粒子測定データを記憶し、当該粒子測定データに含まれる前方散乱光成分、側方散乱光成分及び側方蛍光成分のうちの２つの成分をそれぞれ縦横軸にとってスキャッタグラムを作成し、表示する。また、コンピュータ２は、スキャッタグラムの解析により、白血球、好塩基球等の白血球系の測定、有核赤血球の測定、網赤血球、血小板の測定等を行う。例えば図１０は、側方散乱光信号を横軸、側方蛍光信号を縦軸にとったスキャッタグラムであり、これには、白血球が５つの種類（好酸球、好中球、単好球、リンパ球、好塩基球）に分類された様子が示されている。コンピュータ２は、かかる画像データを作成するとともに、例えば各種類の血球の数のような数値データを含む詳細情報を取得し、取得した情報を画像データとリンクさせる。
【００３１】
図１は、上記のようなスキャッタグラムを検体ごとに、４段５列に並べて表示した画面である。この画面は単に見るだけのものではなく、入力装置２ｃによる選択操作を受け付けるエントリー画面でもある。すなわち、この画面から直接、入力装置２ｃ（キーボード又はマウス等）によって任意の検体Ａを選択することができ、選択された検体Ａの画像データにリンクされた数値データが画面の右側に表示される。また、画面の左下には、検体Ａの採取元の被検者の情報が表示される。さらに、選択された検体Ａについて、メニューバーＭに割り付けられた各種操作（情報処理操作）を行うことができる。一方、検体Ａをマウスで選んでダブルクリックするか、又は、選んだ状態でEnterキーを押すことにより、図２に示す詳細情報画面が表示される。この画面には、１検体について取得した全ての情報が表示される。なお、画面を閉じる操作を行うか又はEscキーを押すと、元の図１の画面に戻る。
【００３２】
図１のように複数の検体の画像データ（スキャッタグラム）を並べて表示すると、検体ごとの全体的な対比考察がし易い操作環境を提供することができ、異常（被検者の異常、装置の異常）検出及び検体間、装置間のばらつきの検出が容易になる。例えば、複数の検体の画像データを並べて表示したときに、１つの画像の形態が他に比べて著しく異なっている場合、その検体が異常であることが一目で確認できるし、また、複数の画像データを時系列で並べて表示したときに、画像の形態が経時的に変化している場合、分析装置に何らかの異常が生じていることが容易に確認できる。一方、数値データは、画像データ（又は粒子測定データ）に表れる情報の一部を数値で表したデータを含んでいるが、画像データに含まれる情報全てが数値に含まれている訳ではない。逆に言えば、画像データには、数値データに表れない情報が潜んでいる場合もある。検体ごとの対比考察がし易い画像データの一覧表示によれば、このような情報の発見にも適した操作環境を提供することができる。また、画像データの表示画面から直接、情報処理操作を行うことができるため、例えば、画像データで異常検出若しくは何らかの発見をした場合には、入力装置２ｃによって検体を選択操作することにより、数値データを含む詳細情報に容易にアクセスすることができる。このようにして、検体の測定結果についての考察が容易となる操作環境を提供することができる。
【００３３】
一方、図１の画面からメニューバーの表示切り替えボタンをクリックするか又は所定のファンクションキーを押すことにより、図３の画面を表示させることができる。この画面では、複数の検体についての数値データが一覧表示されるとともに、その中の、選択された検体Ａの数値データが図１と同様に表示されている。また、同じ操作により、図１の画面に戻ることができる。
【００３４】
図４は、図１の画面からタブをクリックするか又はタブキーを押すことにより表示される画面である。これは、図１のスキャッタグラムに代えて検体ごとの粒度分布を一覧表示した画面である。この場合も同様に、入力装置２ｃによる検体の選択が可能である。また、このような粒度分布の一覧表示によれば、スキャッタグラムの場合と同様に、検体ごとに粒度分布を対比考察し易い操作環境を提供することができ、異常検出が容易になる。
【００３５】
図５は、図１〜４のいずれかの画面からメニューバーより「並び替え」の操作を行う場合に元の画面（この例では図４の画面）に重ねて表示される子画面Ｗｓを示す。並び替えは、日付や時刻等の所定の項目について行うことができる。同様に、図６は図１〜４のいずれかの画面からメニューバーより「フィルタ（抽出）」の操作を行う場合に元の画面に重ねて表示される子画面Ｗｆを示す。フィルタは、日付、バリデーション済みか否か、エラーの有無等の、所定の項目について行うことができる。このような並び替え又は抽出により、検体ごとの対比考察がさらに容易になる。
【００３６】
なお、上記の画像データ表示において、スキャッタグラムや粒度分布の画像データは、非同一人からそれぞれ採取された複数の検体について表示してもよいし、同一人から採取された複数の検体ごと並べて表示することもできる。非同一人であれば前述のように検体ごとの対比考察で異常検出が容易になる。また、各検体に共通する画像データ上の特徴から、粒子測定データの異常すなわち、測定装置１の異常（例えば感度の低下やつまり）を発見し易くなる。
他方、同一人の検体であれば、時系列で並べることにより、その変化を捉えることができる。また、測定装置１が汚れてきた場合に、洗浄前の検体の次に洗浄後の検体を並べて表示すれば、洗浄の効果を画像データ上の変化で確認することができる。
【００３７】
なお、上記の検体情報処理装置は血球分析装置の例で説明したが、複数の検体に関する画像データを並べて表示し、かつ、これを選択操作可能な画面とする構成は、例えば、血球以外の粒子を分析可能な粒子分析装置や、感染病、癌マーカーの抗原または抗体の濃度を求める免疫測定装置、血清や血漿柱に対して凝固機能を検査する血液凝固測定装置、血清総蛋白量や臓器機能の指標である酵素活性を測定する生化学分析装置、または、尿検体に対して赤血球、白血球、上皮細胞、円柱、細菌を定量する尿沈渣検査装置等、血球分析以外の装置においても適用可能である。
また、上記の検体情報処理装置において表示する画像データとしては、スキャッタグラムや粒度分布の他にも種々あり得る。例えば、複数の測定項目について作成したレーダチャートも、複数の検体間での対比考察に適する。
【００３８】
（実施形態２）
次に、本発明の実施形態２について説明する。本実施形態２に係る分析装置３００は、血液の凝固能を分析する血液凝固分析装置である。血液凝固分析装置３００は、測定装置３０１と分析処理用のコンピュータ２とを備えている（図９参照）。なお、コンピュータ２の構成は、実施形態１と同様であるので、同符号を付し、その説明を省略する。
測定装置３０１は、発光ダイオード３０１ａと、フォトダイオード３０１ｅとを有しており（図１２参照）、また図示しないヒータを有している。かかる測定装置３０１は、生物活性法を利用して血液の光学情報を測定し、その測定データをコンピュータ２へと送信するようになっている。
【００３９】
図１２は、生物活性法による測定原理を説明するための模式図である。血液凝固分析装置３００では、プロトロンビン時間（ＰＴ）、活性化部分トロンボプラスチン時間（ＡＰＴＴ）、及びフィブリノーゲン量（Ｆｂｇ）を測定項目に有しており、これらの測定項目毎に血液試料をアリコートに分割し、これらのアリコートに各測定項目専用の試薬を添加して、各アリコート毎に測定装置３０１により以下のように散乱高強度の測定を実行し、この測定結果に基づいてコンピュータ２が血液の凝固時間を算出する。
【００４０】
図１２に示すように、測定装置３０１では、発光ダイオード３０１ａが試料を収容するキュベット３０１ｇへ向けて発光するように配置されている。また、キュベット３０１ｇの側方には、受光面がキュベット３０１ｇへと向けられてフォトダイオード３０１ｅが配置されており、このフォトダイオード３０１ｅの受光光軸方向は、発光ダイオード３０１ａの発光光軸に対して水平方向に約９０度をなしている。発光ダイオード３０１ａは、約６６０ｎｍの波長の光を発するようになっている。定量された血漿がキュベット３０１ｇに収容され、一定時間ヒータによって加温された後、凝固試薬が添加される。この後、発光ダイオード３０１ａから試料へ向けて光が照射され、試料による散乱光がフォトダイオード３０１ｅで受光される。この受光量は、試料の濁度を表しており、試薬を添加した直後の試料は散乱光が弱く（濁度が低く）、受光量の変化はほとんどないが、反応が進むにつれて試料中にフィブリン塊が形成され始め、それに伴って試料が白濁して散乱光が急速に増加する。凝固反応が終了すると散乱光の増加はなくなり、一定の受光レベルになる。フォトダイオード３０１ｅは、受光量に応じた電気信号を出力するようになっており、この電気信号が、ＣＰＵ、ＲＯＭ、ＲＡＭ等から構成され、測定装置３０１の各種構成要素の動作制御を行う制御部３０１ｆに与えられるようになっている。また、この受光量を示すデータは、検体情報処理プログラムを実行したコンピュータ２へと送信され、コンピュータ２は、この受光量データから凝固曲線を求め、これにより試料の凝固時間を算出する。また、コンピュータ２では、上記凝固時間から特定の血液成分の濃度又は活性パーセントを演算することが可能である。
【００４１】
コンピュータ２は、検体毎に測定装置３０１から提供される測定データを記憶し、当該測定データに基づいて縦軸を散乱高強度、横軸を時間とした凝固曲線グラフを作成し、表示する。また、コンピュータ２は、プロトロンビン時間（ＰＴ）、活性化部分トロンボプラスチン時間（ＡＰＴＴ）、及びフィブリノーゲン量（Ｆｂｇ）の各凝固時間を算出する。具体的には、コンピュータ２は、測定データにより得られる散乱高強度の変化がほとんどなくなる点において凝固反応が終了したとし、反応開始時点から、凝固反応の終了時における散乱高強度の半分の散乱高強度に達する時点までの経過時間を凝固時間として算出する。また、コンピュータ２は、作成した凝固曲線グラフと凝固時間等の数値データとを対応付けて記憶する。
【００４２】
図１３は、上記のような凝固曲線グラフを検体毎に、４段５列に並べて表示した画面である。この画面は、実施形態１で図１により説明したスキャッタグラムの一覧表示画面と同様の画面レイアウトとなっている。すなわち、図１３に示す画面では、スキャッタグラムではなく凝固曲線グラフが一覧表示されており、選択された凝固曲線グラフにリンクされた数値データが右側に表示されている。また、実施形態１と同様に、ユーザは様々な選択条件を設定することにより、凝固曲線グラフを一覧表示する対象の検体を選択することができる。その他、この画面におけるコンピュータ２の動作は、実施形態１で説明した図１に示す画面におけるコンピュータ２の動作と同様であるので、その説明を省略する。
【００４３】
このような構成とすることにより、複数の凝固曲線グラフを並べて表示するので、ユーザは一画面で各凝固曲線グラフを対比することができ、異常の発生や異常の種類、及び検体間、装置間のばらつき等を容易かつ正確に判別することができる。
上述した実施形態１，２においては、任意の選択条件により選択された検体に関するスキャッタグラム、凝固曲線グラフが並べて表示されるため、異常の発生、異常の種類、又は検体間、装置間のばらつきの判別に使用できる検体のみを選択すれば、ユーザがこれらのスキャッタグラム又はグラフを目視で確認することにより、異常の発生、異常の種類、又は検体間、装置間のばらつきを容易に判別することが可能となる。
【００４４】
また、上述の実施形態１，２においては、コンピュータ２がスキャッタグラム又は凝固曲線グラフを画像データとして記憶し、一覧表示する場合にはこれらを読み出して表示している。これにより、コンピュータ２がスキャッタグラム又は凝固曲線グラフを一覧表示する場合に、これらの画像データを読み出して表示するだけであるので、画面表示を高速に実行することができる。なお、かかる構成に限定されるものではなく、スキャッタグラムやグラフを作成するために必要な座標値などのデータを記憶しておき、スキャッタグラムやグラフを表示する際に、このデータを読み出してスキャッタグラム又はグラフを作成する構成としてもよい。これにより、表示の際にスキャッタグラム又はグラフを作成するので、単にスキャッタグラム又はグラフとして表示するだけでなく、スキャッタグラム又はグラフを編集したり、表示形態を切り替えたりすることも可能である。また、スキャッタグラム又はグラフを画像データとして記憶していなくても、スキャッタグラム又はグラフの作成が可能なデータ形式で記憶しておけばよいため、データサイズの点で有利な場合がある。また、このようなデータをスキャッタグラム又はグラフの作成だけでなく、他の分析結果に利用することも可能である。
【００４５】
また、上述したように一覧表示されたスキャッタグラム又はグラフを選択することが可能であり、選択された検体の分析結果に対して情報処理操作を実行することができるようにしたため、情報処理の操作を行うために、例えば複数の分析結果の数値データを一覧表示している状態等に表示を切り替える必要がなく、ユーザの操作性が向上する。また、スキャッタグラム又はグラフは数値データよりも情報量が豊富であるため、ユーザが情報処理操作の実行対象の分析結果を決定するのに複数のスキャッタグラム又はグラフを目視で確認することが有効である場合が多く、この点においてもユーザの操作性向上に貢献する。
【００４６】
また、スキャッタグラム又はグラフを一覧表示している画面において、選択されたスキャッタグラム又はグラフに対応する分析結果の数値データを表示する構成としたため、特定の検体に関する数値データを確認するために、スキャッタグラム又はグラフを並べて表示している状態から、数値データを表示している状態に切り替える必要がなく、ユーザの操作性が更に向上する。また、複数のスキャッタグラム又はグラフと選択した検体の数値データとの両方を同時に確認することができ、便利である。
【００４７】
また、同一人から採取された検体に関する分析結果であることを選択条件として設定することが可能であり、これにより同一人の複数検体のスキャッタグラム又はグラフを並べて表示することを可能としたので、例えばその人が特定の病気である場合には、その人の病態の変化を容易に確認することができる。また、通常、同一人の検体のスキャッタグラム又はグラフは略同一の形態を示すが、これらのスキャッタグラム又はグラフが特定の傾向で相違している場合等には、装置間のばらつきや装置の状態の経時的変化が生じていることがある。このため、このような装置間のばらつきや装置の状態の経時的変化をユーザ又はサポートの技術者等が確認することも可能である。
【００４８】
また、スキャッタグラム又はグラフを所定の順序（例えば時系列や患者順）で並べて表示することを可能としたので、例えば、ユーザが経時的な病態の変化や経時的な装置状態の変化等を確認したり、患者間でのデータのばらつきを確認することができるなど、種々の分析結果の検討を行うことができ、便利である。
【図面の簡単な説明】
【００４９】
【図１】本発明の一実施形態による検体情報処理装置（多項目自動血球分析装置）のコンピュータにおいて、スキャッタグラムを検体ごとに一覧表示した画面である。
【図２】１検体についての詳細情報画面である。
【図３】複数の検体についての数値データを一覧表示した画面である。
【図４】粒度分布を検体ごとに一覧表示した画面である。
【図５】並び替えの操作を行う場合の子画面が表示された状態の画面である。
【図６】フィルタの操作を行う場合の子画面が表示された状態の画面である。
【図７】上記検体情報処理装置の構成を示す図である。
【図８】フローサイトメトリー法による光学系の構成を示す図である。
【図９】上記検体情報処理装置のコンピュータを、本発明に関連する機能で表したブロック図である。
【図１０】側方散乱光信号を横軸、側方蛍光信号を縦軸にとったスキャッタグラムの一例である。
【図１１】検体情報処理プログラムの動作を示すフローチャートである。
【図１２】生物活性法による測定原理を説明するための模式図である。
【図１３】凝固曲線グラフを検体毎に、４段５列に並べて表示した画面である。
【符号の説明】
【００５０】
１    測定装置
２    コンピュータ
２１    情報取得手段
２２    表示手段
２３    選択手段
【図１】
2007078508.tif 000003
【図２】
2007078508.tif 000004
【図３】
2007078508.tif 000005
【図４】
2007078508.tif 000006
【図５】
2007078508.tif 000007
【図６】
2007078508.tif 000008
【図７】
2007078508.tif 000009
【図８】
2007078508.tif 000010
【図９】
2007078508.tif 000011
【図１０】
2007078508.tif 000012
【図１１】
2007078508.tif 000013
【図１２】
2007078508.tif 000014
【図１３】
2007078508.tif 000015